(57)【要約】【課題】２つおりの折畳みベッドにおいて、臀部が沈み、腹部が上を向き、全体として身体の中心線を不自然に折り曲げるのを防止して、安眠させる。【解決手段】上半身側を受ける第１のマット８Ａを含む第１のマット体２Ａ、下半身側を受ける第２のマット８Ｂを含む第２のマット体２Ａ、腰部を受ける中のマット８Ｃを具える中のマット体２Ｃとからなる３つのマット体２、及びマット体２を固定するベッド枠体３を有し、かつベッド枠体３は、前記第１，第２のマット体２Ａ，２Ｂを保持でき第１のベッド枠体３Ａ、第２のベッド枠体３Ｂとからなり、水平に展開される展開状態と、他端側を上に折り畳んだ収納状態との間で折畳み展開可能に連結する連結部を具えるとともに、該連結部は、展開状態において前記中のマット８Ｃを前記第１，第２のマット体２Ａ，２Ｂとの間で支持する中のベッド枠部３Ｃを形成するとともに、矩形の箱状に収納できる。【選択図】図１
2008289797.tif 000002
【特許請求の範囲】
【請求項１】
上半身側を受ける第１のマットを含む第１のマット体、下半身側を受ける第２のマットを含む第２のマット体、腰部を受ける中のマットを具える中のマット体とからなるマット体、及びマット体を固定するベッド枠体を有し，
かつベッド枠体は、前記第１，第２のマット体を保持できかつ各一端側に第１，第２の支脚部を具える第１のベッド枠体、第２のベッド枠体とからなり、
しかも第１，第２のベッド枠体は、他端側を向き合わせかつ該他端側を、前記第１、第２のマット体が水平に展開される展開状態と、該第１、第２の支脚部が近づき該第１、第２のマット体を前記他端側を上に折り畳んだ収納状態との間で折畳み展開可能に連結する連結部を具えるとともに、
該連結部は、展開状態において前記第１，第２の支脚部の間で垂下しうる中の支脚部を有しかつ前記中のマットを前記第１，第２のマット体との間で支持する中のベッド枠部を形成することを特徴とする折畳みベッド。
【請求項２】
前記収納状態において、前記中のマット体と、前記収納状態において前記第１，第２のマット体の他端側の端面との間を隠す覆いカバーを具えることを特徴とする請求項１記載の折畳みベッド。
【請求項３】
前記第１，第２のベッド枠体は、前記他端側かつベッド巾方向両側に、前記展開状態において向き合う側にのびる枢着部分を有し、
かつ前記連結部は、向き合う両側の枢着部分間を距離を隔てた枢支点でそれぞれ継ぐ両側の結合金具と、この両側の結合金具をベッド巾方向に連結し、かつ前記中の支脚部が下向きに設けられる結合軸部を具えることを特徴とする請求項１又は
２記載の折畳みベッド。
【請求項４】
前記枢着部分の先端に前記枢支点を有する軸受け片を形成し、前記結合金具は向き合う該軸受け片に設けた前記枢支点を継ぐとともに、
前記展開状態において前記枢着部分の上面に当接することにより第１，２の受け枠の中折れを防ぐ曲げ阻止部を具えることを特徴とする請求項３記載の折畳みベッド。
【請求項５】
前記曲げ阻止部は、前記結合金具に形成されたことを特徴とする請求項４記載の折畳みベッド。
【請求項６】
前記曲げ阻止部は、該中の受部のベッド長さ方向にのびる側枠材により形成されたことを特徴とする請求項４記載の折畳みベッド。
【請求項７】
前記枢着部分は、前記展開状態において向き合う側に突出する突出部からなり、かつ前記中の受部は、前記結合軸部に設られ前記一端側に張り出す肋状材と、該肋状材に固定される小枠体状の中のフレームからなることを特徴とする請求項１〜６のいずれかに記載の折畳みベッド。
【請求項８】
前記枢着部分は、前記展開状態において向き合う側に突出する突出部からなり、かつ前記中の受部は、前記結合軸部と、この結合軸部に設られ前記一端側に張り出す肋状材とからなることを特徴とする請求項１〜７のいずれに記載の折畳みベッド。
【請求項９】
前記第１，第２のベッド枠体は他端側かつベッド巾方向両側に、前記展開状態において向き合う側にのびる枢着部分を有し、
かつ向き合う枢着部分に互いに隣合って下方にのびかつ下方部に同心に１つの枢支点を設けた軸受け片を突設するとともに，
前記連結部は、前記１つの枢支点で前記第１，第２のベッド枠体を折畳み可能に連結する両側の軸部と、この両側の軸部を連結しかつ前記中の支脚部が下向きに設けられる結合軸部と、この結合軸部に設けられ、展開状態において、両側の枢着部分の上面に当接することにより第１，２の受け枠の中折れを防ぐ曲げ阻止部と、前記中の受部とを具えることを特徴とする請求項１記載の折畳みベッド。
【請求項１０】
前記曲げ阻止部は、該中の受部のベッド長さ方向にのびる側枠材により形成されたことを特徴とする請求項９記載の折畳みベッド。
【請求項１１】
前記中の支脚部は、第１の受け枠又は第２の受け枠に各一端を固定される弾性手段を用いて張架されることにより、垂直状態を維持することを特徴とする請求項１〜１０のいずれかに記載の折畳みベッド。
【請求項１２】
前記第１，２の支脚部のうちの少なくとも一方は、両端部に移動用ローラを設けた台座枠材に立脚部を立ち上げた略逆Ｔ状をなし，かつ立脚部を前記受け枠に枢着したことを特徴とする請求項１〜１１のいずれかに記載の折畳みベッド。
【請求項１３】
前記第１，２の支脚部のうちの一方が、ベッド長さ方向の両端部に移動用ローラを設けた台座枠材に立脚部を立ち上げた略逆Ｔ状をなし，かつ立脚部を前記受け枠に枢着されることにより形成されるとともに、
他方の支脚部は、上端を前記他方の支脚部を設けたベッド枠体に固定されたことを特徴とする請求項１〜１２のいずれかに記載の折畳みベッド。
【請求項１４】
前記他方の支脚部を有するベッド枠体において、その一端側に該ベッド枠体よりも突出する移動用の非支脚ローラを設けたことを特徴とする請求項１３記載の折畳みベッド。
【請求項１５】
前記ベッド枠体は、前記非支脚ローラを進退可能かつ折畳みに際して前記非支脚ローラをベッド枠体よりも突出させうる非支脚ローラ進退装置を具えることを特徴とする請求項１４記載の折畳みベッド。
【請求項１６】
前記非支脚ローラ進退装置は、前記非支脚ローラを一端で枢支しベッド枠体下面に沿って移動可能な移動軸と、該移動軸と前記中の支脚部との間を連係し折畳みに際して前記移動軸を押出し前記非支脚ローラをベッド枠体よりも突出させ床面と接触しうることを特徴とする請求項１５記載の折畳みベッド。
【請求項１７】
前記非支脚ローラは、ベッド枠体に沿い上に跳ね上げ可能であることを特徴とする請求項１４〜１６記載の折畳みベッド。
【発明の詳細な説明】
【技術分野】
【０００１】
本発明は、マットを３つの部分から形成することにより、折り畳み形状を矩形状とでき見映えを向上するとともに、腰部を近傍を受けるマット体を具えることにより、就寝時の腰部の沈み込み量を調整でき、体荷重を分散し、かつ自然な寝姿勢を保ち就寝の快適化に役立つ折畳みベッドに関する。
【背景技術】
【０００２】
人間の体は、頭部、胸部、腰部及び脚部の４つのブロックで構成されている。また４つのブロックの重量比は、通常、頭部１０％、胸部３５％、腹部から膝間を前記腰部として４５％、膝下の脚部は１５％であって、快適な睡眠には、頭部天頂と足土踏まずとを結び腰、腹部の厚さ中心を通る身体中心線が一直線状に身体を支え、背骨を真直とするのが「好ましい状態」といわれている。またこの条件は、頭部から脚部まで一連の一体マットでは、マット硬度の調整により該マット硬度、反発弾性を一定とする場合にも、例えば厚さ、重量比が大きい腰部（特に臀部）での沈み込みが大きく、通常、前記「好ましい状態」の条件を達成し易いと考えられている。
【０００３】
他方、例えば先行文献１などが開示し、かつ図１７に例示するように、近年、ベッド枠体ａを例えば中央部を上に逆Ｖ字に中折れ、折り畳み可能としすることにより収納を便宜とする折畳みベッドｂが収納の簡便さのために多用されている。しかしながら、この種の折畳みベッドにおいては、マットも中折れ部で２分されたマット体ｃ，ｄが採用される。
【０００４】
【特許文献１】特開２００４−１４７６７２号公報
【発明の開示】
【発明が解決しようとする課題】
【０００５】
しかしながら、この２分されたマット体ｃ，ｄは、分割位置において途切れのためにマットの硬さ、反発係数（弾性）、耐圧縮性が連続部分に比して小となり、この分割位置に載る重量比が大きい臀部には比較的大きな沈込みが生じることとなる。
【０００６】
このため、臀部が沈み、腹部が上を向き全体としてＷ状に身体の中心線を折曲げ不自然な寝姿となり「好ましい状態」となりがたく、不自由な姿勢での就寝となり、寝苦しく安眠を妨げられ、寝返りを困難として疲れの取りにくいベッドとなりがちとなる。
【０００７】
本発明は、折畳みベッドにおいてマットを３分割し腰部、特に臀部を支える中のマット体を設けることを基本として、頭部、胸部、腰部及び脚部の４つのブロックを「好ましい状態」で保持でき、腰部の沈み込みを減じて安眠でき、疲れを除去しうる折畳みベッドの提供を目的としている。
【課題を解決するための手段】
【０００８】
本願請求項１に係る発明は、上半身側を受ける第１のマットを含む第１のマット体、下半身側を受ける第２のマットを含む第２のマット体、腰部を受ける中のマットを具える中のマット体とからなるマット体、及びマット体を固定するベッド枠体を有し，
かつベッド枠体は、前記第１，第２のマット体を保持できかつ各一端側に第１，第２の支脚部を具える第１のベッド枠体、第２のベッド枠体とからなり、
しかも第１，第２のベッド枠体は、他端側を向き合わせかつ該他端側を、前記第１、第２のマット体が水平に展開される展開状態と、該第１、第２の支脚部が近づき該第１、第２のマット体を前記他端側を上に折り畳んだ収納状態との間で折畳み展開可能に連結する連結部を具えるとともに、
該連結部は、展開状態において前記第１，第２の支脚部の間で垂下しうる中の支脚部を有しかつ前記中のマットを前記第１，第２のマット体との間で支持する中のベッド枠部を形成することを特徴とする折畳みベッドである。
【０００９】
請求項２に係る発明は、前記収納状態において、前記中のマット体と、前記収納状態において前記第１，第２のマット体の他端側の端面との間を隠す覆いカバーを具えることを特徴としている。
【００１０】
請求項３に係る発明は、前記第１，第２のベッド枠体が、前記他端側かつベッド巾方向両側に、前記展開状態において向き合う側にのびる枢着部分を有し、
かつ前記連結部は、向き合う両側の枢着部分間を距離を隔てた枢支点でそれぞれ継ぐ両側の結合金具と、この両側の結合金具をベッド巾方向に連結し、かつ前記中の支脚部が下向きに設けられる結合軸部を具えることを特徴とし、かつ請求項４に係る発明は、前記枢着部分の先端に前記枢支点を有する軸受け片を形成し、前記結合金具は向き合う該軸受け片に設けた前記枢支点を継ぐとともに、前記展開状態において前記枢着部分の上面に当接することにより第１，２の受け枠の中折れを防ぐ曲げ阻止部を具えることを特徴としている。
【００１１】
また請求項５に係る発明は、前記曲げ阻止部が、前記結合金具に形成されたこと、請求項６に係る発明は、前記曲げ阻止部が、該中の受部のベッド長さ方向にのびる側枠材により形成されたことを特徴としている。
【００１２】
さらに請求項７に係る発明は、前記枢着部分が、前記展開状態において向き合う側に突出する突出部からなり、かつ前記中の受部は、前記結合軸部に設られ前記一端側に張り出す肋状材と、該肋状材に固定される小枠体状の中のフレームからなること、請求項８に係る発明は、前記枢着部分が、前記展開状態において向き合う側に突出する突出部からなり、かつ前記中の受部は、前記結合軸部と、この結合軸部に設られ前記一端側に張り出す肋状材とからなることを特徴とする。
【００１３】
また請求項９に係る発明は、前記第１，第２のベッド枠体が他端側かつベッド巾方向両側に、前記展開状態において向き合う側にのびる枢着部分を有し、かつ向き合う枢着部分に互いに隣合って下方にのびかつ下方部に同心に１つの枢支点を設けた軸受け片を突設するとともに，前記連結部は、前記１つの枢支点で前記第１，第２のベッド枠体を折畳み可能に連結する両側の軸部と、この両側の軸部を連結しかつ前記中の支脚部が下向きに設けられる結合軸部と、この結合軸部に設けられ、展開状態において、両側の枢着部分の上面に当接することにより第１，２の受け枠の中折れを防ぐ曲げ阻止部と、前記中の受部とを具えることを特徴とし、かつ請求項１０に係る発明は、前記曲げ阻止部が、該中の受部のベッド長さ方向にのびる側枠材により形成されたことを特徴としている。
【００１４】
しかも請求項１１に係る発明は，前記中の支脚部が、第１の受け枠又は第２の受け枠に各一端を固定される弾性手段を用いて張架されることにより、折り畳みを容易とし垂直状態を維持すること、請求項１２の発明は、前記第１，２の支脚部のうちの少なくとも一方が、両端部に移動用ローラを設けた台座枠材に立脚部を立ち上げた略逆Ｔ状をなし，かつ立脚部を前記受け枠に枢着したこと、請求項１３に係る発明は、前記第１，２の支脚部のうちの一方が、ベッド長さ方向の両端部に移動用ローラを設けた台座枠材に立脚部を立ち上げた略逆Ｔ状をなし，かつ立脚部を前記受け枠に枢着されることにより形成されるとともに、他方の支脚部は、上端を前記他方の支脚部を設けたベッド枠体に固定されたことを特徴としている。
【００１５】
また請求項１４に係る発明は、前記他方の支脚部を有するベッド枠体において、その一端側に該ベッド枠体よりも突出する移動用の非支脚ローラを設けたことを特徴とし、かつ請求項１５に係る発明は、前記ベッド枠体が、前記非支脚ローラを進退可能かつ折畳みに際して前記非支脚ローラをベッド枠体よりも突出させうる非支脚ローラ進退装置を具えること、請求項１６に係る発明は、前記非支脚ローラ進退装置が、前記非支脚ローラを一端で枢支しベッド枠体下面に沿って移動可能な移動軸と、該移動軸と前記中の支脚部との間を連係し折畳みに際して前記移動軸を押出し前記非支脚ローラをベッド枠体よりも突出させ床面と接触しうること、請求項１７に係る発明は、前記非支脚ローラが、ベッド枠体に沿い上に跳ね上げ可能であることを特徴としている。
【発明の効果】
【００１６】
請求項１に係る発明は、マット体が頭部、胸部、腰部及び脚部の４つのブロックを受ける第１のマット体２Ａ，第２のマット体２Ｂ，中のマット体２Ｃからなり、特に中のマット体の反発弾性などを調整選択し腰部の沈み込みを減じることにより、図１６に示すように、「好ましい状態」で身体を保持して安眠を可能とするとともに、睡眠により疲れを除去しうる。又第１，第２の受け枠を枢支し連結する連結部は、中のマット体を受ける中の受部を形成でき構成を簡易化するとともに、連結部の枢支点間長さの選択により、第１，第２のマット体をほぼ垂直に立てた収納状態とすることもでき、全体を矩形の箱状に折り畳みでき、収納の見映えを高めうる。
【００１７】
又請求項２に係る発明は、前記収納状態において、前記中のマット体と、前記収納状態において前記第１，第２の他端側の端面との間を隠す覆いカバーを具えることにより折畳みベッドの収納状態での見映えを向上する。他の請求項に係る発明については準じ説明する。
【発明を実施するための最良の形態】
【００１８】
以下、本発明の実施の一形態を、図面に基に説明する。
図１は、本発明の折畳みベッド（以下、単に「ベッド」ということがある。）１の一部を破断した斜視図、図２はベッド展開時の主として受け枠、ベッド枠体を例示する平面図、図３はベッド展開時の側面図、図４はベッド収納時の側面図、図５は受け枠の取付およびベッド枠体を例示する斜視図、図６はその分解斜視図である。
【００１９】
図１において、ベッド１は、マット体２と、ベッド枠体３を具え、前記マット体２は、上半身側を受ける第１のマット体２Ａ、下半身側を受ける第２のマット体２Ｂ、腰部を受ける中のマット体２Ｃとからなる。又前記ベッド枠体３は、前記第１，第２のマット体２Ａ，２Ｂをそれぞれ保持する第１のベッド枠体３Ａ、第２のベッド枠体３Ｂとを含み、かつ第１のベッド枠体３Ａ、第２のベッド枠体３Ｂには各一端側Ｓ１に第１の支脚部６Ａ、第２の支脚部６Ｂを具えている。
【００２０】
又第１，第２のベッド枠体３Ａ，３Ｂは、他端側Ｓ２，Ｓ２を向き合わせかつ該他端側Ｓ２を、該第１、第２のマット体２Ａ，２Ｂが水平に展開される展開状態（図１，図２）と、該第１、第２の支脚部６Ａ，６Ｂが近づき該第１、第２のマット体２Ａ，２Ｂを前記他端側Ｓ２を上に折り畳んだ収納状態（図４）との間で折畳み展開可能に連結部４により連結されている。
【００２１】
なお、前記連結部４は、展開状態において前記第１，第２の支脚部６Ａ，６Ｂの間で垂下しうる中の支脚部６Ｃ（図６に示す）を有しかつ中のマット体２Ｃを，展開状態の前記第１，第２のマット体２Ａ，２Ｂとの間で支持する中のベッド枠部３Ｃを形成しうる。
【００２２】
前記第１のマット体２Ａ、第２のマット体２Ｂは、図１〜３に示すように、本実施の形態では、金属管等からなるフレーム材を矩形に周回した外枠に適宜の補強フレーム枠材を架け渡した矩形状枠２ａと、その上面などに固定される、図示しない金網等のネット、板体、比較的密に並設したバネ性紐体などの図示しない保持具とからなる第１の受け枠９Ａ、第２の受け枠９Ｂと、この第１の受け枠９Ａ、第２の受け枠９Ｂにより支持される第１のマット８Ａ，第２のマット８Ｂと、少なくともその上面、周囲面を包むシーツ状カバー１１とからなる。これにより前記第１のマット体２Ａ、第２のマット体２Ｂはそれぞれ一体なユニットとして構成される。
【００２３】
又本形態では、前記中のマット体２Ｃも、図１，図５，特に図７に示すように、中の受け枠９Ｃ上に、中のマット８Ｃを図示しない保持具を介して支持させかつシーツ状カバー１１で覆った一体として形成され、このように本形態では、中のマット体Ｃは中の受け枠９Ｃを収納している場合を示している。  
【００２４】
又中のマット体２Ｃの周囲には、図７に示すように、下端縁から、前記収納状態において、該中のマット体２Ｃと、前記収納状態において前記第１，第２のマット体２Ａ，２Ｂの上向きの他端側Ｓ２の端面との間で生じる隙間Ｇ（図４）を隠す覆いカバー１２を垂れ下がらせる。なお覆いカバー１２の下端を前記前記第１，第２のマット体２Ａ，２Ｂの上向きの他端側Ｓ２に、縫合、面フアスナー等を用いて結合することができる。そのとき覆いカバー１２は伸びを許容する例えば伸縮性のあるメリアス生地（ジャージ生地）等を用いうる。又垂れ下がりの横方向、立て方向にヒダ（フリル）等を設けることもできる。
【００２５】
前記第１のベッド枠体３Ａ、第２のベッド枠体３Ｂは、ベッド長さ中心線の両側を通るベッド長さ方向にのびる縦材１５，１５と、その前記一端側Ｓ１の端部を継ぎベッド巾方向にのびる一端側の横材１６、１６と、他端側で縦材１５，１５を継ぐ他端側の横材１７、１７とを有する矩形状枠に、適宜の補強フレーム材を架け渡した第１の基枠１９Ａ，第２の基枠１９Ｂを具えている。又第１、第２の基枠１９Ａ、１９Ｂには、本実施の形態では、前記他端側Ｓ２で縦材１５、１５を、前記よこ材１７を越えて他端側Ｓ２に突出させることにより形成した突出部２１，２１からなる枢着部分２３，２３をベッド巾方向両側に形成している。
【００２６】
又第１のベッド枠体３Ａは、前記第１の基枠１９Ａの前記一端側の横材１６に、フレーム材からなる前記第１の支脚部６Ａの脚材をベッド巾方向両側に直角に固定しており、かつ前記脚材上端を継ぎ材２４で継いだ宮状枠として形成される。なお第１の支脚部６Ａ各下端には固定可能な移動用ローラ２６を有するキャスタ２５ａを具えるとともに、前記継ぎ材２４にも非支脚ローラ２６を有するキャスタ２５ｂが第１のベッド枠体３Ａの一端側Ｓ１に突出している。
【００２７】
さらに第２のベッド枠体３Ｂには、その第２の基枠１９Ｂの縦材１５の一端側で、ベッド長さ方向両端部に移動用ローラ２７を有する固定可能なキャスター２５ｃを設けた台座枠材に立脚部２９を立ち上げた略逆Ｔ状をなす前記第２の支脚部６Ｂの立脚部２９上端を枢着している。さらに第２のベッド枠体３Ｂの前記縦材１５には手すり３１を両側に固着している。
【００２８】
なお、第１のベッド枠体３Ａ、第２のベッド枠体３Ｂの前記縦材１５，横材１６，１７は、前記第１のマット体２Ａ、第２のマット体２Ｂの第１の受け枠９Ａ、第２の受け枠９Ｂの前記矩形状枠をなすフレーム材の配置を略同一として、たとえばボルト、ナット、締結金具その他の固定手段を用いて適宜固定される。
【００２９】
前記第１、第２のベッド枠体２Ａ、２Ｂの他端側Ｓ２の前記枢着部分２３，２３の前記連結部４により連結を、又図５，６に示している。本実施形態では、枢着部分２３，２３の先端に、枢支点ｊ１，ｊ２を有する軸受け片４１、４１をそれぞれ形成している。本形態では、この軸受け片４１，４１は先端部の上向き部（ベッドの展開状態において）前記枢支点ｊ１，ｊ２を形成する。
【００３０】
連結部４は、枢支点ｊ１，ｊ１において前記軸受け片４１と回動可能に連結する結合金具４２，４２を具え、この結合金具４２は、ベッド展開状態において向き合い前記枢支点ｊ１，ｊ２間の間隙を有して対向する該軸受け片４１，４１を跨り前記枢支点ｊ１，ｊ２を連結する板状の継ぎ部４３を含む。
【００３１】
前記連結金具４２は、この継ぎ部４３からベッド長さ方向にのび、かつ上端縁を前記枢着部分２３側に折り曲げることにより、前記展開状態において前記枢着部分２３の上面に当接することにより第１，２のベッド枠体３Ａ，３Ｂの中折れを防ぐ曲げ阻止部４５、４５を形成している（図５に示す）。なお前記継ぎ部４３の上端縁にも、前記軸受け片４１を隠す上片４４を設けている。このように、本実施の形態では、前記曲げ阻止部４５は、前記結合金具４２に形成されている。
【００３２】
なお枢支点ｊ１，ｊ２間の長さは、図４の収納状態における、第１，第２のマット体２Ａ，２Ｂの外面（展開状態では上面となる）間の長さＬに、前記中のマット体３Ｃのベッド長さ方向の長さＬｍとほぼ整一する長さに設定される。即ち、前記外面間の長さＬがベッド枠体３の厚さＴ１とマット体２の厚さＴ２、第１，２ょベッド枠体３Ａ，３Ｂの厚さＴ３，中の支脚部６Ｃの厚さＴ４とすると、Ｌ≒（２×（Ｔ１＋Ｔ２＋Ｔ３）＋Ｔ４）に設定するのが、側面矩形の箱状とするために好ましい。なお中のマット体３Ｃのベッド長さ方向の長さＬｍを、前記長さＬよりも、０よりも大、かつ６０ｍｍよりも小の範囲、好ましくは２０〜４０ｍｍの範囲で小とし、収納時の掛けふとん等の納まりを高める。
【００３３】
又前記連結部４は、ヘッド巾方向両側のこの結合金具４２，４２、及び該結合金具４２，４２間を巾方向に連結する結合軸４７と、この結合軸４７から垂下する前記中の支脚部６Ｃとを含む結合軸部４８（図５に示す）により連結される。なおこの結合軸部４８は例えばＵ字状折曲げによって前記中の支脚部６Ｃを形成することもできる。
【００３４】
さらにこの連結部６は、本形態では、前記結合軸４７と、該結合軸４７から前記一端側に張り出す肋状材５０とにより、前記中のマット体２Ｃを支持する中のベッド枠部３Ｃを形成している。この結合軸４７と肋状材５０とからなる前記中のベッド枠体３Ｃは、本形態では、図７に示したごとき、中のマット体２Ｃの中の受け枠９Ｃを前記肋状材５０上でシート状カバー１１を貫通する固着具をに用いて固定することにより中のマット８Ｃを支持できる。この結果、前記中のマット体２Ｃは展開状態において前記第１のマット体２Ａ、第２のマット体２Ｂの他端側Ｓ２，Ｓ２の端面間に位置して、それらの上面と整一する。
【００３５】
なお、前記中のベッド枠部３Ｃは、図１１，１２で後記するように、前記肋状材５０に、前記中の受け枠９Ｃに相当するフレーム体９Ｃａを予め固着することにより形成することもでき、このとき、前記のように、フレーム体９Ｃａに適宜保持具を介して前記中のマット８Ｃを載置する。なおシート状カバー１１は前記中のマット体２Ｃとともに通常フレーム体９ｃａをも包む。
【００３６】
このように、本形態では中のベッド枠部９Ｃは、前記結合軸部４７と、この結合軸部４７に設られ前記一端側に張り出す肋状材５０とのみから構成することができる。また前記のように、前記結合軸部４７に設られ前記一端側に張り出す肋状材５０と、該肋状材５０に固定される小枠体状の中の受け枠９Ｃ状のフレーム体９Ｃａとにより構成することもできる。
【００３７】
さらに図１〜３に示すように、前記第１のベッド枠体３Ａの前記一端側の横材１６と、中の支脚部６Ｃの下端部と、及び前記第２のベッド枠体３Ｂの前記一端側の横材１６と中の支脚部６Ｃの下端部との間に、それぞれ第１，第２のベッド枠体３Ａ，３Ｂの他端側Ｓの案内ローラ５１を介して例えば引張ばねである弾性手段５２を設け、折り畳み時の持ち上げ力を補助している。
【００３８】
なお第１のマット体２Ａ、第２のマット体２Ｂ、中のマット体２Ｃは、身体を就寝させるに適した反発弾性にそれぞれ選択したスポンジ硬度が採用される。なおスポンジとして、マットに適した種々の素材が採用できる。その選択により図１６に示すように、「好ましい状態」で身体を保持して安眠を可能とする反発弾性、硬度のスポンジがそれぞれに選択される。なお、ポリウレタンフオーム、その複層体なども用いることができ、これにより、睡眠を助け疲れを除去しうる。
【００３９】
而して、図１，２に示すごとく、第１のマット体２Ａ、第２のマット体２Ｂ、中のマット体２Ｃは展開してベッドとなる。結合金具４２の前記曲げ阻止部４５、４５（図５，６に示す）は前記枢着部分２３の上面に当接し、前記中の支脚部６Ｃの倒れを防ぎ、かつ中のベッド枠部９Ｃを水平に保ち、使用を安定化できる。又この展開状態では、ベッド重量により展開状態が維持される一方、例えば中のマット体２Ｃ部分を持ち上げることにより、前記弾性手段５２が補助的に折り畳み方向に付勢し、折り畳みを容易とする。
【００４０】
マット体が頭部、胸部、腰部及び脚部の４つのブロックを受ける第１のマット体２Ａ２Ａ，第２のマット体２Ｂ，中のマット体２Ｃが体重を受ける重量比をうまく分担して、特に中のマット体の反発弾性などを調整選択し腰部の沈み込みを減じることにより、図１７に示すように、「好ましい状態」で身体を保持して安眠を可能とするとともに、睡眠により疲れを除去しうる。
【００４１】
折り畳みとともに、第１、第２の支脚部６Ａ，６Ｂが近づき該第１、第２のマット体２Ａ，２Ｂを前記他端側Ｓ２を上に折り畳んだ収納状態に折畳みうる。なお前記非支脚ローラ２６は折畳み、展開において前記第１のマット体２Ａの一端側Ｓ１が下となるとき、床面と接触して折畳み、展開動作を円滑とする。
【００４２】
また収納状態において、前記結合金具４２の前記枢支点ｊ１，ｊ２間の長さが比較的大きく、従って、第１，第２のマット体２２Ａ，２Ｂは略垂直に立ち上がることができる。又図４に示すように、中のマット体２Ｃの長さＬｍを、立ち上がった前記第１、第２のマット体２Ａ，２Ｂの外面間の長さＬとほぼ等しく形成しているため、その側面は矩形となり、見映えよく箱状に収納できる。
【００４３】
又前記収納状態時には、前記中のマット体２Ｃと、前記収納状態において前記第１，第２のマット体２Ａ，２Ｂの他端側Ｓ２の端面との間の間隙Ｇを、覆いカバー１２が隠すことより、その外観を向上できる。
【００４４】
図８〜図１０は、非支脚ローラ２６を非支脚ローラ進退装置６０を用いて進退させる他の形態を例示している。前記非支脚ローラ進退装置６０は、前記非支脚ローラ２６を前記一端側Ｓ１で枢支し本例では前記第１のベッド枠体３Ａの下面に沿って移動可能な移動軸６１と、該移動軸６１と前記中の支脚部６Ｃ下方部との間を継ぐことより連係させ折畳みに際して前記移動軸６１を押出す連結アーム６２とからなる。又前記移動軸６１はスライド軸受６４により直線道可能に支持される。又移動軸６１は、前記直線動する基軸部６１ａとその一端側で、前記スライド軸受け６４から抜けたところで跳ね上げ可能に該基軸部６１ａに枢着される枢着される跳ね上げ部６１ｂａとからなる。この跳ね上げにより図１０に一点鎖線で示すごとく、跳ね上げ部６１ｂの跳ね上げとともに前記非支脚ローラ２６は、立上がる第１のベッド枠体３Ａの下端を案内でき、かつ第１のベッド枠体３Ａを立った状態の近傍まで床面に接して案内できる。
【００４５】
図１１〜図１５は、第１のベッド枠体３Ａと第２のベッド枠体３Ｂとを１つの枢支点ｊで結合する他の実施形態を示ている。本形態では、展開状態において向き合う側にのびる前記枢着部分２３，２３に、互いに隣合って下方にのびかつ下方部に同心に枢支点ｊをなす孔などを設けた軸受け片４１，４１を突設している（図１３，１４に示す）。この軸受け片４１，４１を重ならせて前記孔、即ち枢支点ｊを通る軸部６６等により、第１のベッド枠体３Ａと第２のベッド枠体３Ｂを折り畳み可能に連結している。
【００４６】
又ベッド巾方向両側の前記軸部６６，６６は、前記中の支脚部６Ｃが下向きに設けられる結合軸部４７と例えば一体であって（螺着等によって接合することもできる）、かつこの結合軸部４７には、第１のベッド枠体３Ａと第２のベッド枠体３Ｂの展開状態において水平となる前記肋状材５０，５０（図１３，１４に示す。図６にも明示している）を各一端側に突設している。又この肋状材５０，５０には、前記のように、図１１，１２で示す、、前記中の受け枠９Ｃに相当するフレーム体９Ｃａを予め固着することにより形成することにより、前記中のベッド枠部３Ｃを形成している。このとき、前記のように、フレーム体９Ｃａに適宜保持具を介して前記中のマット８Ｃを載置する。なおシート状カバー１１は前記中のマット体２Ｃとともに通常、フレーム体９Ｃａをも包み一体化した前記中のマット体２Ｃを構成できる。
【００４７】
前記中の受け枠９Ｃ（フレーム体９Ｃａ）は、ベッド巾方向に前記枢着部分２３を越えており、かつ第１のベッド枠体３Ａと第２のベッド枠体３Ｂの展開状態において、この中の受け枠９Ｃが前記枢着部分２３の上面と当接することにより、第１のベッド枠体３Ａと第２のベッド枠体３Ｂの展開状態における中折れを防ぐ曲げ阻止部４５を形成している。なお中の受け枠９Ｃのベッド長さ方向の側材７１の全長に亘って前記枢着部分２３と当接させることができる。また中の受け枠９Ｃのベッド長さ方向の周枠材を直接前記枢着部分２３に載置可能として、この周枠材により曲げ阻止部４５を形成することもできる。さらに本実施形態では、第１，２の支脚部６Ａ，６Ｂは、前記した略逆Ｔ状をなす脚体を用いている。
【００４８】
又図１に示すように、第１のベッド枠体３Ａと第２のベッド枠体３Ｂが立ち上がる収納状態において、第１のベッド枠体３Ａと第２のベッド枠体３Ｂの上を向く他端側Ｓ２の端面と、上方に位置する中のマット体２Ｃの間を隠す覆いカバー１２が設けられる。本形態ではこの覆いカバー１２は前記端面と中のマット体２Ｃ下端との間の間隙の周囲を閉じる。そのため、前記中のマット体２Ｃ下端には覆いカバー１２は全長さに亘り縫着、メンフアスナーなどにより、固着されるとともに、前記第１のベッド枠体３Ａ、第２のベッド枠体３Ｂとは、前記ベッド枠体３Ｃ側のみで固定することも、上下で固定して例えば蛇腹状に覆いカバー１２を形成することにもでき、これにより可撓性、適用性を高めている。
【００４９】
なお、各図に示したベッド１各部の態様について、必要に応じて適宜組合せを変化するなど、種々な変更も可能である。
【図面の簡単な説明】
【００５０】
【図１】本発明の１実施の形態の一部を破断した斜視図である。
【図２】ベッド展開時の主として受け枠、ベッド枠体を例示する平面図である。
【図３】ベッド展開時のその側面図である。
【図４】ベッド収納時のその側面図である。
【図５】受け枠の取付およびベッド枠体を例示する斜視図である。
【図６】その分解斜視図である。
【図７】中のマット体を例示する断面図である。
【図８】図８〜図１０は非支脚ローラ進退装置を用いた他の形態を例示し、図８はその平面図である。
【図９】その側面図である。
【図１０】収納状態と展開状態との間の傾斜状態を例示する側面図である。
【図１１】図１１〜１５は他の形態を例示し、図１１はベッド枠体が一つの枢支点で枢着される別実施例の平面図である。
【図１２】その側面図である。
【図１３】ベッド展開状態のベッド枠体の折曲げ状態を例示する側面図である。
【図１４】ベッド展開状態から収納状態へ遷移する軸付近の作用を示すその側面図である。
【図１５】ベッド枠体折曲げ状態でのその側面図である。
【図１６】本実施例における睡眠者の腰部近傍の作用図である。
【図１７】従来のベッドにおける睡眠者の腰部近傍の作用図である。
【符号の説明】
【００５１】
１  ベッド
２Ａ  第１のマット体
２Ｂ  第２のマット体
２Ｃ  中のマット体
３Ａ  第１のベッド枠体
３Ｂ  第２のベッド枠体
３Ｃ  中のベッド枠部
４    連結部  
６Ａ  第１の支脚部
６Ｂ  第２の支脚部
６Ｃ  中の支脚部  
８Ａ  第１のマット
８Ｂ  第２のマット
８Ｃ  中のマット
９Ａ  第１の受け枠
９Ｂ  第２の受け枠
９Ｃ  中の受け枠
１１  シート状カバー
１２  覆いカバー
２１  突出部
２３  枢着部分
２６  非支脚ローラ
２７  移動ローラ
４１  軸受け片
４２  結合金具
４５  曲げ阻止部
４７  結合軸
４８  結合軸部
５０  肋状材
５２  ばね手段
６０  非支脚ローラ駆動装置
【図１】
2008289797.tif 000003
【図２】
2008289797.tif 000004
【図３】
2008289797.tif 000005
【図４】
2008289797.tif 000006
【図５】
2008289797.tif 000007
【図６】
2008289797.tif 000008
【図７】
2008289797.tif 000009
【図８】
2008289797.tif 000010
【図９】
2008289797.tif 000011
【図１０】
2008289797.tif 000012
【図１１】
2008289797.tif 000013
【図１２】
2008289797.tif 000014
【図１３】
2008289797.tif 000015
【図１４】
2008289797.tif 000016
【図１５】
2008289797.tif 000017
【図１６】
2008289797.tif 000018
【図１７】
2008289797.tif 000019